(57)【要約】【課題】実車の走行状態を正確に再現し得るエンジン模擬試験方法を提供する。【解決手段】実車の目標車速データを元に車両諸元情報を使用し且つ積荷重量の変化と路面勾配が無いものと仮定して算出した走行抵抗を負荷条件として動力計２によりエンジン１に与えながら目標車速データ通りに車速が再現されるようにアクセル開度を制御した時のトルクの推移を第一トルク推移とし、目標車速データの計測時に併せてエンジン１の回転数とアクセル開度を計測しておき、これらエンジン１の回転数とアクセル開度が同時に再現されるようにアクセル開度を制御し且つ動力計２により負荷条件を制御した時のトルクの推移を第二トルク推移とし、両トルク推移を比較して求めた差分を補正負荷分として走行抵抗の差分に置き換え、この走行抵抗の差分を前記走行抵抗に加算して実車相当の走行抵抗に補正する。【選択図】図４
2014159966.tif 000002
【特許請求の範囲】
【請求項１】
台上ベンチに載せたエンジンの出力軸を動力計と連結し、該動力計により前記エンジンに走行時の負荷条件を与えながらアクセル開度を制御して実車の走行状態を模擬するエンジン模擬試験方法であって、実車から得られた時系列の目標車速データを元に車両諸元情報を使用し且つ積荷重量の変化と路面勾配が無いものと仮定して車両の走行抵抗を算出し、その算出された走行抵抗を負荷条件として動力計によりエンジンに与えながら前記目標車速データ通りに車速が再現されるようにアクセル開度を制御した時のトルクの推移を第一トルク推移として求める一方、前記目標車速データの計測時に併せてエンジンの回転数とアクセル開度を計測しておき、これら目標車速データの計測時におけるエンジンの回転数とアクセル開度が同時に再現されるようにアクセル開度を制御し且つ動力計により負荷条件を制御した時のトルクの推移を第二トルク推移として求め、この第二トルク推移と前記第一トルク推移とを比較して差分を求め、そのトルク推移の差分を補正負荷分として走行抵抗の差分に置き換え、この走行抵抗の差分を前記目標車速データを元に算出した走行抵抗に加算して実車相当の走行抵抗に補正し、この実車相当の走行抵抗を負荷条件として動力計によりエンジンに与えながら前記目標車速データの車速が再現されるようにアクセル開度を制御することを特徴とするエンジン模擬試験方法。
【請求項２】
前記目標車速データを元に別の車両諸元情報を使用し且つ積荷重量の変化と路面勾配が無いものと仮定して車型違いの場合の走行抵抗を算出し、その算出された走行抵抗に前記補正負荷分を加算して車型違いの場合についての実車相当の走行抵抗を求め、この実車相当の走行抵抗を負荷条件として動力計によりエンジンに与えながら前記目標車速データの車速が再現されるようにアクセル開度を制御することを特徴とする請求項１に記載のエンジン模擬試験方法。
【請求項３】
第二トルク推移と第一トルク推移との差分を補正負荷分として走行抵抗の差分に置き換えるにあたり、走行している任意の区間毎に走行抵抗の差分に平均処理を施して平滑化することを特徴とする請求項１又は２に記載のエンジン模擬試験方法。
【発明の詳細な説明】
【技術分野】
【０００１】
本発明は、実車での運転状態を模擬的に再現しながらエンジンの性能及び信頼性試験を実施するためのエンジン模擬試験方法に関するものである。
【背景技術】
【０００２】
近年、自動車のエンジンを開発する場合には、該エンジンを搭載した試験車両を実際に走行させて試験を行う替わりに、エンジンを台上ベンチに載せて実車での運転状態を模擬的に再現しながら性能及び信頼性試験を実施することが行われており、開発されたエンジンが所定の性能を備えているかどうかを効率良く評価できるようにしている。
【０００３】
図４は台上ベンチでエンジンの性能及び信頼性試験を実施するための台上試験装置の一例を示すもので、図４中における符号の１は台上ベンチ（図示省略）に載せられたエンジン、２は該エンジン１の出力軸１ａを接続されて実車の負荷条件を再現するように前記エンジン１のトルクを制御する動力計、３は前記エンジン１の運転状態を制御するエンジン制御装置、４は該エンジン制御装置３にアクセル開度の情報を与えるアクセル開度センサ、５は該アクセル開度センサ４を運転者のアクセルペダル操作に替えて操作するアクチュエータ、６は該アクチュエータ５及び前記動力計２の作動を制御し且つ該動力計２で検出された前記エンジン１のトルクの情報を取り込む模擬運転制御装置である。
【０００４】
而して、実車から得られた時系列の目標車速データを元に模擬運転制御装置６にて車両の走行抵抗を算出し、これを動力計２の負荷とエンジン１の回転数とに置き換えてアクチュエータ５及び前記動力計２の作動を制御すると、該動力計２により負荷条件がエンジン１に与えられる一方、前記アクチュエータ５によりアクセル開度センサ４が操作されてエンジン制御装置３により燃料噴射量が制御され、目標車速に対応したエンジン１の運転状態が模擬されることになる。
【０００５】
尚、この種の模擬運転制御装置に関連する先行技術文献情報としては下記の特許文献１等がある。
【先行技術文献】
【特許文献】
【０００６】
【特許文献１】特開２００７−２８５９３１号公報
【発明の概要】
【発明が解決しようとする課題】
【０００７】
しかしながら、実車から得られた時系列の目標車速データを元に模擬運転制御装置６にて車両の走行抵抗を算出するにあたり、正確な積載状況や路面勾配等の計測データまでは測定できていない場合が多く、積荷重量の変化と路面勾配が無いものと仮定して車両の走行抵抗を算出するようにしていたため、模擬運転制御装置６で算出された走行抵抗と実車での走行抵抗との間に乖離が生じ、台上試験装置にて実車の車速を目標に走行しても、アクセル開度に差が生じる結果となり、実車の走行状態を正確に再現することが難しいという問題があった。
【０００８】
本発明は上述の実情に鑑みてなしたもので、実車の走行状態を正確に再現し得るエンジン模擬試験方法を提供することを目的とする。
【課題を解決するための手段】
【０００９】
本発明は、台上ベンチに載せたエンジンの出力軸を動力計と連結し、該動力計により前記エンジンに走行時の負荷条件を与えながらアクセル開度を制御して実車の走行状態を模擬するエンジン模擬試験方法であって、実車から得られた時系列の目標車速データを元に車両諸元情報を使用し且つ積荷重量の変化と路面勾配が無いものと仮定して車両の走行抵抗を算出し、その算出された走行抵抗を負荷条件として動力計によりエンジンに与えながら前記目標車速データ通りに車速が再現されるようにアクセル開度を制御した時のトルクの推移を第一トルク推移として求める一方、前記目標車速データの計測時に併せてエンジンの回転数とアクセル開度を計測しておき、これら目標車速データの計測時におけるエンジンの回転数とアクセル開度が同時に再現されるようにアクセル開度を制御し且つ動力計により負荷条件を制御した時のトルクの推移を第二トルク推移として求め、この第二トルク推移と前記第一トルク推移とを比較して差分を求め、そのトルク推移の差分を補正負荷分として走行抵抗の差分に置き換え、この走行抵抗の差分を前記目標車速データを元に算出した走行抵抗に加算して実車相当の走行抵抗に補正し、この実車相当の走行抵抗を負荷条件として動力計によりエンジンに与えながら前記目標車速データの車速が再現されるようにアクセル開度を制御することを特徴とするものである。
【００１０】
而して、実車から得られた時系列の目標車速データを元に車両諸元情報を使用し且つ積荷重量の変化と路面勾配が無いものと仮定して車両の走行抵抗を算出し、その算出された走行抵抗を負荷条件として動力計によりエンジンに与えながら前記目標車速データ通りに車速が再現されるようにアクセル開度を制御すると、実車と同じ走行抵抗が得られていないことからエンジンに対し実車と同じ負荷条件を与えることができず、前記目標車速データ通りに車速を再現しても、アクセル開度が実車の場合と異なり、この時に計測されるトルクの推移（第一トルク推移）は、実車の負荷条件に対応したものとはならないが、前記目標車速データの計測時に併せて計測されていたエンジンの回転数とアクセル開度が同時に再現されるようにアクセル開度を制御し且つ動力計により負荷条件を制御すれば、その時に計測されるトルクの推移（第二トルク推移）が実車の負荷条件に対応したものとなる。
【００１１】
このため、第二トルク推移と第一トルク推移とを比較して差分を求め、そのトルク推移の差分を補正負荷分として走行抵抗の差分に置き換え、この走行抵抗の差分を前記目標車速データを元に算出した走行抵抗に加算すれば、この走行抵抗は実車の負荷条件に対応したものとなり、この実車相当の走行抵抗を負荷条件として動力計によりエンジンに与えながら前記目標車速データの車速が再現されるようにアクセル開度を制御すれば、実車の走行状態が正確に再現されることになる。
【００１２】
更に、本発明においては、前記目標車速データを元に別の車両諸元情報を使用し且つ積荷重量の変化と路面勾配が無いものと仮定して車型違いの場合の走行抵抗を算出し、その算出された走行抵抗に前記補正負荷分を加算して車型違いの場合についての実車相当の走行抵抗を求め、この実車相当の走行抵抗を負荷条件として動力計によりエンジンに与えながら前記目標車速データの車速が再現されるようにアクセル開度を制御することも可能である。
【００１３】
即ち、先に求めた補正負荷分には、積荷重量の変化と路面勾配が大きく寄与しており、同じ道路を同じ運行条件（積荷重量の変化）で走行する限り、大きく変化することなく同じように加わる負荷分であると考えられるので、車型違いの場合であっても、その車型に応じた車両諸元情報を使用し且つ積荷重量の変化と路面勾配が無いものと仮定して算出した走行抵抗に加算すれば、同じ道路を同じ運行条件（積荷重量の変化）で走行した時の実車相当の走行抵抗が求められ、この実車相当の走行抵抗を負荷条件として動力計によりエンジンに与えながら前記目標車速データの車速が再現されるようにアクセル開度を制御すれば、車型違いの場合における実車の走行状態が正確に再現されることになる。
【００１４】
また、本発明においては、第二トルク推移と第一トルク推移との差分を補正負荷分として走行抵抗の差分に置き換えるにあたり、走行している任意の区間毎に走行抵抗の差分に平均処理を施して平滑化しておくことが好ましく、このようにすれば、極端な負荷変動を抑えることが可能となる。
【発明の効果】
【００１５】
上記した本発明のエンジン模擬試験方法によれば、下記の如き種々の優れた効果を奏し得る。
【００１６】
（Ｉ）正確な積載状況や路面勾配等の計測データが測定できていなくても、実車から得られた時系列の目標車速データを元に不明な車両諸元情報を仮値として算出した走行抵抗を実車相当の走行抵抗に補正することができるので、この実車相当の走行抵抗を負荷条件として動力計によりエンジンに与えながら前記目標車速データの車速が再現されるようにアクセル開度を制御することにより実車の走行状態を正確に再現することができる。
【００１７】
（ＩＩ）前記目標車速データを元に別の車両諸元情報を使用し且つ積荷重量の変化と路面勾配が無いものと仮定して車型違いの場合の走行抵抗を算出し、その算出された走行抵抗に前記補正負荷分を加算して車型違いの場合についての実車相当の走行抵抗を求め、この実車相当の走行抵抗を負荷条件として動力計によりエンジンに与えながら前記目標車速データの車速が再現されるようにアクセル開度を制御すれば、車型違いの場合における実車の走行状態を正確に再現することができ、車両諸元情報の変更点の性能及び信頼性への影響を確認することができる。
【００１８】
（ＩＩＩ）第二トルク推移と第一トルク推移との差分を補正負荷分として走行抵抗の差分に置き換えるにあたり、走行している任意の区間毎に走行抵抗の差分に平均処理を施して平滑化しておくようにすれば、極端な負荷変動を抑えることができる。
【図面の簡単な説明】
【００１９】
【図１】本発明に用いられる目標車速データの一例を概略的に示すグラフである。
【図２】第一トルク推移と第二トルク推移について示すグラフである。
【図３】計算して求めた走行抵抗と実車相当の走行抵抗を示すグラフである。
【図４】台上試験装置の一例を示す概略図である。
【発明を実施するための形態】
【００２０】
以下本発明の実施の形態を図面を参照しつつ説明する。
【００２１】
図１〜図３は本発明を実施する形態の一例を示すもので、本発明のエンジン模擬試験方法を実施するために用いられる台上試験装置については、先に背景技術の説明に用いた図４の構成のものと特に変わるところがないため、本形態例の説明においても、台上試験装置の各構成要素に関連して述べた部分については図４を参照することとする。
【００２２】
先ず、本形態例では、台上ベンチに載せたエンジン１の出力軸１ａを動力計２と連結し、該動力計２により前記エンジン１に走行時の負荷条件を与えながらアクセル開度を制御して実車の走行状態を模擬するに際し、模擬運転制御装置６において、実車から得られた時系列の目標車速データＳ1（図１参照）を元に車両諸元情報を使用し且つ積荷重量の変化と路面勾配が無いものと仮定して車両の走行抵抗を算出する。
【００２３】
ここで、目標車速データＳ1を元に車両の走行抵抗を算出するにあたっては、例えば、下記の式（１）に示されるような一般的な走行抵抗演算式を使用すれば良く、不明な車両諸元情報については仮値を代入して計算すれば良い。
【００２４】
尚、ここでは説明を判り易くする観点から比較的シンプルな走行抵抗演算式を用いた場合で例示しているが、エンジントルクマップやトランスミッションの変速位置情報等を加味して更に複雑な走行抵抗演算式を用いることも可能である。
［数１］
Ｆ（走行抵抗）＝Ｒａ＋Ｒｃ＋Ｒｒ＋Ｒｅ…（１）
Ｒａ（空気抵抗）＝λＳＶ2
λ：空気抵抗係数（仮値）
Ｓ：車両前面投影面積（仮値）
Ｖ：車速（目標車速データＳ1の時系列値）
Ｒｃ（加速抵抗）＝ｂ／ｇ（Ｗ＋ΔＷ）
ｂ：車両加速度（車速Ｖから求めた加速度）
ｇ：重力加速度（定数）
Ｗ：車両総重量（カタログ値）
ΔＷ：回転部慣性重量＝空車重量×０．０７（仮値）
Ｒｒ（ころがり抵抗）＝Ｗμ
μ：タイヤ摩擦抵抗係数
Ｒｅ（勾配抵抗）＝Ｗ・sinθ（ここでは０として計算）
θ：勾配角度
【００２５】
そして、この式（１）により算出された走行抵抗を負荷条件として動力計２によりエンジン１に与えながら前記目標車速データＳ1通りに車速Ｓ2（図１参照）が再現されるようにアクチュエータ５によりアクセル開度センサ４を操作してアクセル開度を制御し、この時のトルクの推移を第一トルク推移Ｔ1（図２参照）として模擬運転制御装置６に記録しておく。
【００２６】
一方、前記目標車速データＳ1の計測時に併せてエンジン１の回転数とアクセル開度を計測しておき、これら目標車速データＳ1の計測時におけるエンジン１の回転数とアクセル開度が同時に再現されるようにアクセル開度をアクチュエータ５によりアクセル開度センサ４を介して制御し且つ動力計２により負荷条件を制御した時のトルクの推移を第二トルク推移Ｔ2（図２参照）として模擬運転制御装置６に記録する。
【００２７】
そして、前記模擬運転制御装置６内において、第二トルク推移Ｔ2と第一トルク推移Ｔ1とを比較して差分を求め、そのトルク推移の差分を補正負荷分として走行抵抗の差分に置き換え、図３に示す如く、この走行抵抗の差分を前記目標車速データＳ1を元に算出した走行抵抗Ｆ1に加算して実車相当の走行抵抗Ｆ2に補正し、この実車相当の走行抵抗Ｆ2を負荷条件として動力計２によりエンジン１に与えながら前記目標車速データＳ1の車速が再現されるようにアクセル開度を制御する。
【００２８】
尚、第二トルク推移Ｔ2と第一トルク推移Ｔ1との差分を補正負荷分として走行抵抗の差分に置き換えるにあたっては、走行している任意の区間毎に走行抵抗の差分に平均処理を施して平滑化しておくことが好ましく、このようにすれば、極端な負荷変動を抑えることが可能となる。
【００２９】
而して、前述したように、実車から得られた時系列の目標車速データＳ1を元に車両の走行抵抗Ｆ1を不明な車両諸元情報を仮値として算出し、その算出された走行抵抗Ｆ1を負荷条件として動力計２によりエンジン１に与えながら前記目標車速データＳ1通りに車速Ｓ2が再現されるようにアクセル開度を制御すると、実車と同じ走行抵抗が得られていないことからエンジン１に対し実車と同じ負荷条件を与えることができず、前記目標車速データＳ1通りに車速Ｓ2を再現しても、アクセル開度が実車の場合と異なり、この時に計測されるトルクの推移（第一トルク推移Ｔ1）は、実車の負荷条件に対応したものとはならないが、前記目標車速データＳ1の計測時に併せて計測されていたエンジン１の回転数とアクセル開度が同時に再現されるようにアクセル開度をアクチュエータ５によりアクセル開度センサ４を介して制御し且つ動力計２により負荷条件を制御すれば、その時に計測されるトルクの推移（第二トルク推移Ｔ2）が実車の負荷条件に対応したものとなる。
【００３０】
このため、第二トルク推移Ｔ2と第一トルク推移Ｔ1とを比較して差分を求め、そのトルク推移の差分を補正負荷分として走行抵抗の差分に置き換え、この走行抵抗の差分を前記目標車速データＳ1を元に算出した走行抵抗Ｆ1に加算すれば、その走行抵抗の差分を加算された走行抵抗Ｆ2は実車の負荷条件に対応したものとなり、この実車相当の走行抵抗Ｆ2を負荷条件として動力計２によりエンジン１に与えながら前記目標車速データＳ1の車速が再現されるようにアクセル開度を制御すれば、実車の走行状態が正確に再現されることになる。
【００３１】
従って、上記形態例によれば、正確な積載状況や路面勾配等の計測データが測定できていなくても、実車から得られた時系列の目標車速データＳ1を元に不明な車両諸元情報を仮値として算出した走行抵抗Ｆ1を実車相当の走行抵抗Ｆ2に補正することができるので、この実車相当の走行抵抗Ｆ2を負荷条件として動力計２によりエンジン１に与えながら前記目標車速データＳ1の車速が再現されるようにアクセル開度を制御することにより実車の走行状態を正確に再現することができる。
【００３２】
また、本形態例においては、前記目標車速データＳ1を元に別の車両諸元情報を使用し且つ積荷重量の変化と路面勾配が無いものと仮定して車型違いの場合の走行抵抗を算出し、その算出された走行抵抗に前記補正負荷分を加算して車型違いの場合についての実車相当の走行抵抗を求め、この実車相当の走行抵抗を負荷条件として動力計２によりエンジン１に与えながら前記目標車速データＳ1の車速が再現されるようにアクセル開度を制御することも可能である。
【００３３】
即ち、先に求めた補正負荷分には、積荷重量の変化と路面勾配が大きく寄与しており、同じ道路を同じ運行条件（積荷重量の変化）で走行する限り、大きく変化することなく同じように加わる負荷分であると考えられるので、車型違いの場合であっても、その車型に応じた車両諸元情報を使用し且つ積荷重量の変化と路面勾配が無いものと仮定して算出した走行抵抗に加算すれば、同じ道路を同じ運行条件（積荷重量の変化）で走行した時の実車相当の走行抵抗が求められ、この実車相当の走行抵抗を負荷条件として動力計２によりエンジン１に与えながら前記目標車速データＳ1の車速が再現されるようにアクセル開度を制御すれば、車型違いの場合における実車の走行状態を正確に再現することができ、車両諸元情報の変更点の性能及び信頼性への影響を確認することができる。
【００３４】
尚、本発明のエンジン模擬試験方法は、上述の形態例にのみ限定されるものではなく、本発明の要旨を逸脱しない範囲内において種々変更を加え得ることは勿論である。
【符号の説明】
【００３５】
１  エンジン
１ａ  出力軸
２  動力計
３  エンジン制御装置
４  アクセル開度センサ
５  アクチュエータ
６  模擬運転制御装置
【図１】
2014159966.tif 000003
【図２】
2014159966.tif 000004
【図３】
2014159966.tif 000005
【図４】
2014159966.tif 000006